【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
各々が各波長の光を発する、複数の共振微小空洞アノードと、
前記複数の共振微小空洞アノードの各々のためのＬＣＯＳデバイスであって、前記ＬＣＯＳデバイスの各々が画像を発生するＬＣＯＳデバイスと、
共振微小空洞アノードからの光とＬＣＯＳデバイスからの画像を反射し且つ向きを変える複数の偏光ビーム・スプリッタと、
画像を合成して、合成画像を発生する手段とから成る、ＬＣＯＳ投射システム。
【請求項２】
前記投射システムが合成画像を投影するための投写レンズを含む、請求項１記載のＬＣＯＳ投射システム。
【請求項３】
画像を合成する前記手段が、交差した２色性の合成器を含む、請求項１記載のＬＣＯＳ投射システム。
【請求項４】
画像を合成する前記手段が、色波長セレクタと光路長補償器を含む、請求項１記載のＬＣＯＳ投射システム。
【請求項５】
各ＬＣＯＳデバイスが、合成されたＬＣＯＳ微小ディスプレイと４分の１の波長板とを含む、請求項１記載のＬＣＯＳ投射システム。
【請求項６】
前記複数の共振微小空洞アノードが、“Ｐ”モードの共振微小空洞アノード・デバイスか“Ｓ”モードの共振微小空洞アノード・デバイスの何れかのグループから選択される、請求項１記載のＬＣＯＳ投射システム。
【請求項７】
各々が各波長の光を発する複数の共振微小空洞アノードと、
前記複数の共振微小空洞アノードの各々のための画像形成装置であって、各々が画像を発生する画像形成装置と、
共振微小空洞アノードからの光と画像形成装置からの画像を反射し、向きを変える複数の偏光ビーム・スプリッタと、から成る、光弁投射システム。
【請求項８】
前記システムが更に各画像形成装置からの画像を合成する合成器を含む、請求項７記載の光弁投射システム。
【請求項９】
画像形成装置がＬＣＯＳ微小ディスプレイを含む、請求項７記載の光弁投射システム。
【請求項１０】
前記システムが更に前記合成器からの合成画像を受け取るための投写レンズを含む、請求項８記載の光弁投射システム。
【請求項１１】
前記合成器が、交差した２色性の合成器である、請求項８記載の光弁投射システム。
【請求項１２】
前記合成器が、光路補償立方体とＣｏｌｏｒＳｅｌｅｃｔシステムとから成る、請求項８記載の光弁投射システム。
【請求項１３】
前記システムが更に光路長補償立方体を含む、請求項７記載の光弁投射システム。
【請求項１４】
前記システムが更にＣｏｌｏｒＳｅｌｅｃｔシステムを含む、請求項１３記載の光弁投射システム。
【請求項１５】
前記複数の共振微小空洞アノードが、“Ｐ”モードの共振微小空洞アノード・デバイスか或いは“Ｓ”モードの共振微小空洞アノード・デバイスの何れかのグループから選択される、請求項７記載の光弁投射システム。
【請求項１６】
少なくとも第１の照射源であって、真空空洞の第１の面に第１の入力を受け取るための電界放出ディスプレイ点のアレイと、真空空洞の第２の面に共振微小空洞アノードの対応するアレイとを有する照射源と、
前記照射源により照射される少なくとも第１のＬＣＯＳデバイスと、から成る、合成された共振微小空洞アノード電界放出ディスプレイを用いた光弁投射システム。
【請求項１７】
前記少なくとも第１の照射源が、赤色の光で前記第１のＬＣＯＳデバイスを照射する第１の照射源と、緑色の光で第２のＬＣＯＳデバイスを照射する第２の照射源と、青色の光で第３のＬＣＯＳデバイスを照射する第３の照射源とを含む、請求項１６記載の光弁投射システム。
【請求項１８】
前記第１、第２、および第３の照射源が、それぞれ赤色、緑色、および青色の入力源を有する、請求項１６記載の光弁投射システム。  
【請求項１９】
少なくとも第１の照射源であって、偏向コイルを持たない真空空洞の第１の面のカソードおよび前記真空空洞の第２の面の共振微小空洞アノードの対応するアレイ上に複数の入力を同時に受け取る照射源と、
前記照射源により照射される少なくとも第１のＬＣＯＳデバイスと、から成る、合成された共振微小空洞アノードＣＲＴを用いた光弁投射システム。
【請求項２０】
前記少なくとも第１の照射源が、赤色の光で前記第１のＬＣＯＳデバイスを照射する第１の照射源と、緑色の光で第２のＬＣＯＳデバイスを照射する第２の照射源と、青色の光で第３のＬＣＯＳデバイスを照射する第３の照射源とを含む、請求項１９記載の光弁投射システム。
【請求項２１】
前記第１、第２、および第３の照射源が、それぞれ赤色、緑色、および青色の入力源を有する、請求項１９記載の光弁投射システム。
【手続補正２】
【補正対象書類名】明細書
【補正対象項目名】発明の名称
【補正方法】変更
【補正の内容】
【発明の名称】ＬＣＯＳ投射システムおよび光弁投射システム
【手続補正３】
【補正対象書類名】明細書
【補正対象項目名】００１３
【補正方法】変更
【補正の内容】
【００１３】
従って、以下に説明するように、光弁投射システムにおいて、共振微小空洞技術の利点を利用することの必要性が存在する。
特許請求の範囲と実施例との対応関係を実施例で使われている参照番号を用いて示すと以下の通りである。
（請求項１）
各々が各波長の光を発する、複数の共振微小空洞アノード（３２、４２、５２）と、
前記複数の共振微小空洞アノードの各々のためのＬＣＯＳデバイスであって、前記ＬＣＯＳデバイスの各々が画像を発生するＬＣＯＳデバイスと、
共振微小空洞アノードからの光とＬＣＯＳデバイスからの画像を反射し且つ向きを変える複数の偏光ビーム・スプリッタと、
画像を合成して、合成画像を発生する手段とから成る、ＬＣＯＳ投射システム。
（請求項２）
前記投射システムが合成画像を投影する投写レンズ（５０）を含む、請求項１記載のＬＣＯＳ投射システム。
（請求項３）
画像を合成する前記手段が、交差した２色性の合成器を含む、請求項１記載のＬＣＯＳ投射システム。
（請求項４）
画像を合成する前記手段が、色波長セレクタと光路長補償器を含む、請求項１記載のＬＣＯＳ投射システム。
（請求項５）
各ＬＣＯＳデバイスが、合成されたＬＣＯＳ微小ディスプレイ（３８、４８、５８）と４分の１の波長板（３６、４６、５６）とを含む、請求項１記載のＬＣＯＳ投射システム。
（請求項６）
前記複数の共振微小空洞アノードが、“Ｐ”モードの共振微小空洞アノード・デバイスか“Ｓ”モードの共振微小空洞アノード・デバイスの何れかのグループから選択される、請求項１記載のＬＣＯＳ投射システム。
（請求項７）
各々が各波長の光を発する複数の共振微小空洞アノード（１０２、１５２、１１２、１２２）と、
前記複数の共振微小空洞アノードの各々のための画像形成装置であって、各々が画像を発生する画像形成装置と、
共振微小空洞アノードからの光と画像形成装置からの画像を反射し、向きを変える複数の偏光ビーム・スプリッタと、から成る、光弁投射システム。
（請求項８）
前記システムが更に各画像形成装置からの画像を合成する合成器を含む、請求項７記載の光弁投射システム。
（請求項９）
画像形成装置がＬＣＯＳ微小ディスプレイ（１０８、１２８）を含む、請求項７記載の光弁投射システム。
（請求項１０）
前記システムが更に前記合成器からの合成画像を受け取るための投写レンズ（１２０）を含む、請求項８記載の光弁投射システム。
（請求項１１）
前記合成器が、交差した２色性の合成器である、請求項８記載の光弁投射システム。
（請求項１２）
前記合成器が、光路補償立方体（１１０）とＣｏｌｏｒＳｅｌｅｃｔシステムとから成る、請求項８記載の光弁投射システム。
（請求項１３）
前記システムが更に光路長補償立方体（１１０）を含む、請求項７記載の光弁投射システム。
（請求項１４）
前記システムが更にＣｏｌｏｒＳｅｌｅｃｔシステム（１３５、１４５、１５２）を含む、請求項１３記載の光弁投射システム。
（請求項１５）
前記複数の共振微小空洞アノードが、“Ｐ”モードの共振微小空洞アノード・デバイスか或いは“Ｓ”モードの共振微小空洞アノード・デバイスの何れかのグループから選択される、請求項７記載の光弁投射システム。
（請求項１６）
少なくとも第１の照射源（３２）であって、真空空洞の第１の面に第１の入力を受け取るための電界放出ディスプレイ点のアレイと、真空空洞の第２の面に共振微小空洞アノードの対応するアレイとを有する照射源（３２）と、
前記照射源により照射される少なくとも第１のＬＣＯＳデバイス（３８）と、から成る、合成された共振微小空洞アノード電界放出ディスプレイを用いた光弁投射システム。
（請求項１７）
前記少なくとも第１の照射源が、赤色の光で前記第１のＬＣＯＳデバイスを照射する第１の照射源（３２）と、緑色の光で第２のＬＣＯＳデバイスを照射する第２の照射源（４２）と、青色の光で第３のＬＣＯＳデバイスを照射する第３の照射源（５２）とを含む、請求項１６記載の光弁投射システム。
（請求項１８）
前記第１、第２、および第３の照射源が、それぞれ赤色、緑色、および青色の入力源を有する、請求項１６記載の光弁投射システム。  
（請求項１９）
少なくとも第１の照射源（３２）であって、偏向コイルを持たない真空空洞の第１の面のカソードおよび前記真空空洞の第２の面の共振微小空洞アノードの対応するアレイ上に複数の入力を同時に受け取る照射源（３２）と、
前記照射源により照射される少なくとも第１のＬＣＯＳデバイス（３８）と、から成る、合成された共振微小空洞アノードＣＲＴを用いた光弁投射システム。
（請求項２０）
前記少なくとも第１の照射源が、赤色の光で前記第１のＬＣＯＳデバイスを照射する第１の照射源（３２）と、緑色の光で第２のＬＣＯＳデバイスを照射する第２の照射源（４２）と、青色の光で第３のＬＣＯＳデバイスを照射する第３の照射源（５２）とを含む、請求項１９記載の光弁投射システム。
（請求項２１）
前記第１、第２、および第３の照射源が、それぞれ赤色、緑色、および青色の入力源を有する、請求項１９記載の光弁投射システム。